(57)【特許請求の範囲】
【請求項１】
容器体口頚部に嵌合させる装着キャップ４と、該キャップ上方に嵌着固定するとともに、装着キャップ上端から起立した縦筒５の中間部からシリンダ６を、その上部からは射出筒７をそれぞれ前方へ突設してなるポンプ本体８と、上記射出筒前部から揺動可能に垂設するとともに、上記シリンダ内に前方付勢状態で嵌合させたプランジャ11の先端部にその上部を連携させたトリガー12とを備え、該トリガーの操作により内蔵ポンプ機構の作用で容器体内の液を吸い上げて射出筒先端部の噴出口より噴出する如く構成するとともに、上記射出筒先端に嵌着させたノズルヘッド９の回動により液流路を遮断・連通する開閉機構を設けたトリガー式液体噴出器に於いて、上記シリンダの前方へ突出するプランジャ11先端部外周両側に弾性的に拡開挟着させた一対の平行する弾性板22よりなる挟着部18を、前部を段部を介して下方へ凹ませた基板23の後部上面より立設させるとともに、基板23下面中央部より指掛け突起21を垂設し、且つプランジャ11に対して離脱可能に構成した作動防止部材16b を設け、該作動防止部材16b の弾性板22前面及び基板23前面をトリガー12後面に、作動防止部材16b の後面をシリンダ６前面に、それぞれ当接させてトリガーの引き込みを防止することを特徴とするトリガー式液体噴出器。
【請求項２】
前記作動防止部材16b の前記各弾性板22の内面上部には係止突条25を突設してなることを特徴とする請求項１記載のトリガー式液体噴出器。
【発明の詳細な説明】
【０００１】
【発明の属する技術分野】
本発明はトリガー式液体噴出器に関する。
【０００２】
【従来の技術】
トリガー式液体噴出器として、容器体口頚部に嵌合させた装着キャップと、該キャップ上方に嵌着固定するとともに、装着キャップ上端から起立した縦筒の中間部からシリンダを、その上部からは射出筒をそれぞれ前方へ突設してなるポンプ本体と、上記射出筒先端に嵌着させたノズルヘッドと、上記射出筒前部から揺動可能に垂設するとともに、上記シリンダ内に前方付勢状態で嵌合させたプランジャの先端部を押し込み可能に連携させたトリガーとを備え、該トリガーの操作により内蔵ポンプ機構の作用で容器体内の液を吸い上げてノズルヘッドの噴出口より噴出する如く構成したものが知られている。
【０００３】
またこの種噴出器では、一般に、不用意なトリガーの操作による液の漏出、或いは商品陳列時における悪戯等の防止を図るために、射出筒前端に設けたノズル嵌合筒にノズルヘッドを回動可能に設けるとともに、両者間にノズルヘッドを回動させることにより液流路の連通が遮断され、元の状態に戻せば連通する開閉機構を設けている。
【０００４】
【発明が解決しようとする課題】
しかしながら、上記した開閉機構を設けたものにあっても、トリガーはプランジャを介して液圧により押し込み不能に係止されているため、液流路閉塞状態のままで度々トリガーを引き寄せると、プランジャの若干の押し込みが可能となり、シリンダ内の異常な高圧化で吐出弁を通って、吐出弁下流の射出筒前方部分内に高圧液体が貯ることがあり、このようになるとノズルヘッドを液流路連通位置まで回したとき、その射出筒前方部分内に貯っていた高圧液体が、トリガー操作を行わなくてもノズル孔から噴出する不都合が生じたり、また、トリガーを強く引き寄せると、射出筒内の高圧化でノズルヘッドがノズル嵌合筒から外れる虞もあった。
【０００５】
本発明は上記した点に鑑みなされたもので、不使用時等にトリガー操作を確実に防止して、上記した不都合を解消することができ、また、その構造も簡単で、取り扱いも便利な優れたトリガー式液体噴出器を提案するものである。
【０００６】
【課題を解決するための手段】
第１の手段として、容器体口頚部に嵌合させる装着キャップ４と、該キャップ上方に嵌着固定するとともに、装着キャップ上端から起立した縦筒５の中間部からシリンダ６を、その上部からは射出筒７をそれぞれ前方へ突設してなるポンプ本体８と、上記射出筒前部から揺動可能に垂設するとともに、上記シリンダ内に前方付勢状態で嵌合させたプランジャ11の先端部にその上部を連携させたトリガー12とを備え、該トリガーの操作により内蔵ポンプ機構の作用で容器体内の液を吸い上げて射出筒先端部の噴出口より噴出する如く構成するとともに、上記射出筒先端に嵌着させたノズルヘッド９の回動により液流路を遮断・連通する開閉機構を設けたトリガー式液体噴出器に於いて、上記シリンダの前方へ突出するプランジャ11先端部外周両側に弾性的に拡開挟着させた一対の平行する弾性板22よりなる挟着部18を、前部を段部を介して下方へ凹ませた基板23の後部上面より立設させるとともに、基板23下面中央部より指掛け突起21を垂設し、且つプランジャ11に対して離脱可能に構成した作動防止部材16b を設け、該作動防止部材16b の弾性板22前面及び基板23前面をトリガー12後面に、作動防止部材16b の後面をシリンダ６前面に、それぞれ当接させてトリガーの引き込みを防止する如く構成した。
【０００７】
また、第２の手段として、前記第１の手段に於いて、前記作動防止部材16b の前記各弾性板22の内面上部には係止突条25を突設した。
【０００８】
【発明の実施の形態】
以下、本発明の実施例の形態を図面を参照して説明する。図面に示す如く、本発明のトリガー式液体噴出器１は、容器体２の口頚部３に嵌合させる装着キャップ４と、該キャップ上方に嵌着固定するとともに、装着キャップ上端から起立した縦筒５の中間部からシリンダ６を、その上部からは射出筒７をそれぞれ前方へ突設してなるポンプ本体８と、上記射出筒７先端に嵌着させたノズルヘッド９と、上記シリンダ内のコイルスプリング10により前方付勢させた状態で嵌合したプランジャ11と、上記射出筒７前部から揺動可能に垂設するとともに、プランジャ11の先端部にその上部を連係させたトリガー12とを備え、該トリガーの操作により内蔵ポンプ機構の作用で容器体内の液を吸い上げてノズルヘッド９の噴出口より噴出する如く構成している。
【０００９】
上記ポンプ機構として、例えば、縦筒５下端に容器体内へ垂下させるパイプ13を嵌着し、また、縦筒５とシリンダ６内を連通するとともに、縦筒５と射出筒７を連通させてパイプ13より射出筒７に至る液流路を形成し、シリンダの上流には吸い込み弁14を、その下流には吐出弁15をそれぞれ備え、上記プランジャ11の押し込みにより加圧されたシリンダ６内の液が吐出弁15を開いて射出筒７を通りノズルヘッド９の噴出口より噴出するとともに、プランジャ11の前方移行の際にはシリンダ６内の負圧化により吐出弁15が閉じ、吸い込み弁14が開いて容器体内の液をパイプ13を介してシリンダ６内に導入する如く構成した公知機構のものが採用される。
【００１０】
尚、本実施例では、ノズルヘッド前面を開閉自在に設け、その中央貫通孔の形態により液の状態を制御する蓋板を設けている。また、上記ノズルヘッド９を射出筒７先端のノズル嵌合筒に回動可能に設けるとともに、ノズル嵌合筒及びノズルヘッド間にノズルヘッドを回動させることにより液流路の連通が遮断され、元の状態に戻せば連通する公知の開閉機構を設けているが、単にノズルヘッドを固定したものであっても良い。また、上記噴出器の各部材は主として合成樹脂により形成することが出来、必要に応じてエラストマーや金属等を併用することが出来るものである。
【００１１】
本発明はこの種噴出器に於いて、特殊構成の作動防止部材16を設けている。この作動防止部材16は、上記シリンダの前方へ突出するプランジャ11先端部外周に挟着部18を弾性的に拡開挟着させて装着するとともに、その前面をトリガー12後面に、その後面をシリンダ６前面に、それぞれ当接させてトリガーの引き込みを防止するもので、離脱可能に設けている。
【００１２】
上記弾性的に拡開挟着させるとは、挟着部の開口部分を弾性的に押し拡げつつ挿入して最後に挟着部が弾性復元した状態で挟持する場合や、挟着部の開口部分を弾性的に押し拡げつつ挿入してそのまま挟持させる場合がある。前者の例として、例えば図１の実施例が、後者の例として例えば図４の実施例がそれぞれ挙げられる。
【００１３】
この様な作動防止部材16を設けることにより、無理にトリガー12を引いても、この作動防止部材16を介してシリンダ６前面を押圧することとなり、プランジャ11には力が及ばず、従来の様なプランジャの僅かな後方移行を生じることはなく、従って、液流路の内圧が高くなることもない様に構成している。図示例では上記トリガー12を、前壁12a の両側縁より後方へ両側壁12b を延設するとともに、下端縁より後方へ底壁12c を延設した後面開口の中空棒状に形成し、前壁12a 裏面上部より後方へ突出した押圧突起17の先端をプランジャ11の先端中央部に当接させて押し込み可能に構成している。また、両側壁12b 上部後面より後方へ、半円板状の押圧板部12e を突設している。
【００１４】
また、図１に示す作動防止部材16a は、プランジャ11先端部外周に弾性的に拡開挟着した円弧板状の挟着部18前端縁より外方へ延設したフランジ19前面をトリガー12の上記押圧板部12e 後面に当接させ、また、挟着部18後端縁より外方に延設したフランジ20後面をシリンダ前面に当接させている。また、上記挟着部18外面下部から斜め下方へ指掛け突起21を突設して構成している。
【００１５】
本実施例に於ける作動防止部材16a は、例えば図３に示す如く、プランジャ11下方より強制的に押し込んで装着することができ、また、取り外す際には、例えば、指掛け突起21を掴んで引き下げることにより、或いは若干回動させつつ引き下げることにより行える。
【００１６】
また、図４に示す実施例の作動防止部材16b は、シリンダの前方へ突出するプランジャ11先端部外周両側に弾性的に拡開挟着させた一対の平行する弾性板22よりなる挟着部18を、その前部を段部を介して下方へ凹ませた基板23の後部上面より立設させ、基板23下面中央部より指掛け突起21を垂設して構成している。そして、その基板23前面をトリガー12の両側壁12b 後面に当接させ、また、基板23後部両側に垂設した垂板24後面及び指掛け突起21後面をシリンダ前面に当接させる如く構成している。また、上記各弾性板22の内面上部には係止突条25を突設しており、その着脱方法は上記図１の実施例と本質的に同様である。
【００１７】
尚、上記各実施例に於ける作動防止部材16は、合成樹脂により一体に形成することが可能である。
【００１８】
【発明の効果】
以上説明した如く本発明トリガー式液体噴出器は、既述構成としたことにより、特に、シリンダの前方へ突出するプランジャ11先端部外面に挟着部18を弾性的に拡開挟着させて装着するとともに、その前面をトリガー12後面に、その後面をシリンダ６前面に、それぞれ当接させてトリガーの引き込みを防止する作動防止部材16を離脱可能に設けたので、運搬保管時の不用意なトリガーの誤動作或いは悪戯等があっても、ポンプ内の液圧が上がって、様々な不都合を発生するということがなく、しかも、その構造は従来品と比較して簡単構造の作動防止部材を設けるだけで良いため、容易に製造することができるとともに、作動防止部材のトリガーの着脱も容易に行えるという利点を兼ね備えている。
【００１９】
また、挟着部18外面より指掛け突起21を一体に突設すれば、作動防止部材をより容易に取り外すことが可能であり、また、挟着部18前縁より外方へ延設したフランジ19前面をトリガー12の両側壁12b 上部後面より後方へ突設した半円板状の押圧板部12e 後面に当接させれば、作動防止部材の下方からの装着が行い易く、また、挟着部18後縁より外方へ延設したフランジ20後面をシリンダ６前面に当接させれば、シリンダ前面とフランジ20後面との当接面が大きく取れて、不用意なトリガーの引き戻しがあっても、作動防止部材がより確実にプランジャの押し込みを防止するものである。
【００２０】
また、作動防止部材16b の挟着部18を、シリンダ６の前方へ突出するプランジャ11先端部外周両側に弾性的に拡開挟着させた一対の平行する弾性板22よりなる挟着部18として構成すれば、その装着がより容易に行える効果を併せて発揮するものである。
【図面の簡単な説明】
【図１】本発明トリガー式液体噴出器の一実施例を示す縦断面図である。
【図２】同実施例の作動防止部材を外した状態の斜視図である。
【図３】同実施例の作動防止部材の装着を説明する説明図である。
【図４】本発明トリガー式液体噴出器の他の実施例を示す縦断面図である。
【図５】同実施例の作動防止部材を示す斜視図である。
【符号の説明】
４…装着キャップ，５…縦筒，６…シリンダ，７…射出筒，８…ポンプ本体，
11…プランジャ，12…トリガー，16，16a ，16b …作動防止部材，
18…挟着部，19…フランジ，20…フランジ，21…指掛け突起，22…弾性板，23…基板，
【図１】
0003741327.tif 000002
【図２】
0003741327.tif 000003
【図３】
0003741327.tif 000004
【図４】
0003741327.tif 000005
【図５】
0003741327.tif 000006